(57)【要約】【課題】  装置全体における構成の単純化により小型コンパクト化及びコストダウンを図るとともに、メンテナンスの容易化を図る。【解決手段】  室内Ｒの空気Ａ中に浮遊するオイルミストＯｍを回収するオイルミスト回収装置１を構成するに際して、送風ファン２ｍの前後に吸気口２ｆ及び排気口２ｒを有する送風機２を備えるとともに、内部にジグザグな通風路Ｓを形成するための複数の傾斜したオイル回収板４ａ，４ｂを有し、かつ最下部に位置するオイル回収板４ｂの下端部にオイル回収板４ａ，４ｂを流れ落ちたオイルＯを回収するオイル回収口５を有する回収ダクト３を、排気口２ｒに対して直接又は排気フード６を介して接続する。【選択図】  図１
2008142673.tif 000002
【特許請求の範囲】
【請求項１】
室内の空気中に浮遊するオイルミストを回収するオイルミスト回収装置において、送風ファンの前後に吸気口及び排気口を有する送風機を備えるとともに、内部にジグザグな通風路を形成するための複数の傾斜したオイル回収板を有し、かつ最下部に位置するオイル回収板の下端部に前記オイル回収板を流れ落ちたオイルを回収するオイル回収口を有する回収ダクトを、前記排気口に対して直接又は排気フードを介して接続してなることを特徴とするオイルミスト回収装置。
【請求項２】
前記室内の天井に吊下げる吊下部を有することを特徴とする請求項１記載のオイルミスト回収装置。
【請求項３】
前記オイル回収口には、回収したオイルを再利用する機械類に戻すための第一リターンチューブを接続することを特徴とする請求項１記載のオイルミスト回収装置。
【請求項４】
前記送風機は、前記吸気口に着脱するエアフィルタを兼ねるカバーを備えることを特徴とする請求項１記載のオイルミスト回収装置。
【請求項５】
前記カバーの下方には、当該カバーを流れ落ちたオイルを回収するオイル回収トレイを備えるとともに、このオイル回収トレイには、回収されたオイルを再利用する機械類に戻すための第二リターンチューブを接続することを特徴とする請求項４記載のオイルミスト回収装置。
【請求項６】
前記送風機は、換気扇ユニットを利用することを特徴とする請求項１記載のオイルミスト回収装置。
【発明の詳細な説明】
【技術分野】
【０００１】
本発明は、室内の空気中に浮遊するオイルミストを回収する際に用いて好適なオイルミスト回収装置に関する。
【背景技術】
【０００２】
一般に、旋盤等の工作機械では、オイルブローにより加工削屑の除去及びバイトの保護を図っている。このため、加工中にオイルミストが発生し、このオイルミストが空気中に浮遊して室内環境を低下させることから、通常、各工作機械にオイルミストコレクタ（オイルミストの回収装置）を付設し、各工作機械単位で発生したオイルミストを回収しており、従来、この種の装置としては、特開２００４−１９５６３１号公報で開示されるオイルミスト回収装置が知られている。
【０００３】
一方、各工作機械にオイルミストコレクタを付設しても、発生したオイルミストを完全に回収することは困難であり、少なからず漏れたオイルミストが室内に浮遊する。したがって、通常は換気扇を設置して室内環境を維持することが行われるが、換気扇は室内空気の排出を伴うため、冷暖房（空調）時のエネルギ損失が大きくなり、省エネルギ性及び経済性の低下を招く難点がある。
【０００４】
このため、従来においては、室内のオイルミストを回収するオイルミスト回収装置も、特開平８−２８１０３２号公報で知られている。このオイルミスト回収装置は、いわば室内に設置する空気清浄機に類するものであり、オイルミストを除去するフィルタを内蔵、即ち、上流側の第１フィルタと、下流側の第２フィルタと、この第２フィルタを第１フィルタを通過したオイルミストエアの流れに対して下傾方向に傾斜して配置した構成を備えている。
【特許文献１】特開２００４−１９５６３１号
【特許文献２】特開平８−２８１０３２号
【発明の開示】
【発明が解決しようとする課題】
【０００５】
しかし、上述した従来のオイルミスト回収装置（特許文献２）は、次のような問題点があった。
【０００６】
第一に、密閉されたケーシングにフィルタ類やブロアを内蔵して構成するため、全体の構造が複雑かつ大掛かりとなり、装置全体の大型化及びコストアップを招くとともに、メンテナンスも大変となる。
【０００７】
第二に、回収装置により回収したオイルを再利用する点については考慮していないとともに、考慮したとしても再利用のための別途の作業が必要となり、再利用に伴う作業工数の増加及び作業性の低下を招く。
【０００８】
第三に、オイルミストを効率的及びバランス良く回収する室内の空気循環等を考慮していないとともに、考慮したとしても効率的及びバランス良く回収する観点から十分な効果を得にくい。
【０００９】
本発明は、このような背景技術に存在する課題を解決したオイルミスト回収装置の提供を目的とするものである。
【課題を解決するための手段】
【００１０】
本発明は、上述した課題を解決するため、室内Ｒの空気Ａ中に浮遊するオイルミストＯｍを回収するオイルミスト回収装置１を構成するに際して、送風ファン２ｍの前後に吸気口２ｆ及び排気口２ｒを有する送風機２を備えるとともに、内部にジグザグな通風路Ｓを形成するための複数の傾斜したオイル回収板４ａ，４ｂを有し、かつ最下部に位置するオイル回収板４ｂの下端部にオイル回収板４ａ，４ｂを流れ落ちたオイルＯを回収するオイル回収口５を有する回収ダクト３を、排気口２ｒに対して直接又は排気フード６を介して接続してなることを特徴とする。
【００１１】
この場合、発明の好適な態様により、オイルミスト回収装置１には、室内Ｒの天井Ｗに吊下げる吊下部１１を設けることができる。一方、オイル回収口５には、回収したオイルＯを再利用する機械類Ｍに戻すための第一リターンチューブ１２を接続することができる。また、送風機２には、吸気口２ｆに着脱するエアフィルタを兼ねるカバー１３を設けることができる。さらに、カバー１３の下方には、当該カバー１３を流れ落ちたオイルＯを回収するオイル回収トレイ１４を設けるとともに、このオイル回収トレイ１４には、回収されたオイルＯを再利用する機械類Ｍに戻すための第二リターンチューブ１５を接続することができる。なお、送風機２には、換気扇ユニット２ｃを利用することができる。
【発明の効果】
【００１２】
このような構成を有する本発明に係るオイルミスト回収装置１によれば、次のような顕著な効果を奏する。
【００１３】
（１）  送風ファン２ｍの前後に吸気口２ｆ及び排気口２ｒを有する送風機２を備えるとともに、内部にジグザグな通風路Ｓを形成する複数の傾斜したオイル回収板４ａ…を有回収ダクト３を、排気口２ｒに対して直接又は排気フード６を介して接続したため、装置全体の構成を単純化することができ、小型コンパクト化及びコストダウン、更にはメンテナンスの容易化を図ることができる。
【００１４】
（２）  好適な態様により、室内Ｒの天井Ｗに吊下げる吊下部１１を設ければ、送風機２により室内Ｒの空気Ａを効果的に撹拌することができるため、オイルミストを効率的かつバランス良く回収できるとともに、冷暖房効率も高めることができる。
【００１５】
（３）  好適な態様により、オイル回収口５に、回収したオイルＯを再利用する機械類Ｍに戻すための第一リターンチューブ１２を接続すれば、回収したオイルを有効に再利用できるとともに、第一リターンチューブ１２により、機械類Ｍに対していわば自動で戻すことができるため、再利用のための別途の作業が不要となり、再利用に伴う作業工数の増加及び作業性の低下は発生しない。
【００１６】
（４）  好適な態様により、吸気口２ｆに着脱するエアフィルタを兼ねるカバー１３を設ければ、送風機２により吸気される前にも、オイルミストＯｍをある程度回収することができるため、より効率的かつ有効な回収を実現できる。
【００１７】
（５）  好適な態様により、カバー１３の下方に、当該カバー１３を流れ落ちたオイルＯを回収するオイル回収トレイ１４を設けるとともに、このオイル回収トレイ１４に、回収されたオイルＯを再利用する機械類Ｍに戻すための第二リターンチューブ１５を接続すれば、より効率的かつ有効なオイルＯの再利用を実現できる。
【００１８】
（６）  好適な態様により、送風機２に、換気扇ユニット２ｃを利用すれば、より容易かつ低コストに実施することができる。
【発明を実施するための最良の形態】
【００１９】
次に、本発明に係る最良の実施形態を挙げ、図面に基づき詳細に説明する。
【００２０】
まず、本実施形態に係るオイルミスト回収装置１の構成について、図１〜図４を参照して説明する。
【００２１】
オイルミスト回収装置１は送風機２を備える。この送風機２は、図４に示すような市販の換気扇ユニット２ｃを利用することができる。送風機２に、このような換気扇ユニット２ｃを利用することにより容易かつ低コストに実施できる利点がある。送風機２は、図１に示すように、断面が矩形となる枠状のハウジング２１と、このハウジング２１の前端開口に取付けた風洞２２を備える。ハウジング２１の内部には複数の支持ステー２３…により支持されるモーター２４を配設するとともに、このモーター２４の回転シャフトに羽根２５を取付けて送風ファン２ｍを構成する。これにより、送風ファン２ｍの前方（上流側）に位置する風洞２２の前端開口が吸気口２ｆとなり、送風ファン２ｍの後方（下流側）に位置するハウジング２１の後端開口が排気口２ｒとなる。
【００２２】
また、送風機２は、吸気口２ｆに着脱するエアフィルタを兼ねるカバー１３を備える。このカバー１３は吸気口２ｆに装着することにより吸気口２ｆの全面を覆う。さらに、カバー１３の下端には、当該カバー１３を伝って落ちたオイルＯを回収するオイル回収トレイ１４を配設するとともに、オイル回収トレイ１４により受けたオイルＯを排出するオイル排出口２６を設ける。なお、このオイル回収トレイ１４はカバー１３に対して着脱可能である。その他、２７は排気口２ｒに配設したシャッターであり、当該排気口２ｒを開閉することができる。
【００２３】
一方、排気口２ｒには排気フード６を接続する。この排気フード６は、送風方向を略直に変更するフードである。排気フード６は、ハウジング２１の外面に嵌合させて取付けることができ、排気フード６の前端はハウジング２１の前端に位置させる。この排気フード６の上端には、室内Ｒの天井Ｗに吊下げることができるように吊下部１１として形成する。したがって、この吊下部１１には、後述する吊金具３１を固定することができる。
【００２４】
そして、排気フード６の後端開口（下端開口）には回収ダクト３を接続する。この回収ダクト３は、断面が矩形となる枠状に形成し、上端開口を排気フード６の下端開口に嵌合させることによりネジ等により固定する。また、回収ダクト３の内面には、複数（例示は二枚）の傾斜したオイル回収板４ａ，４ｂを取付け、このオイル回収板４ａ，４ｂの配置によりジグザグな通風路Ｓを形成する。この場合、オイル回収板４ａ，４ｂの傾斜角は、回収したオイルＯが流れ落ちればよいため、僅かな傾斜角で足りる。さらに、最下部に位置するオイル回収板４ｂの下端部には、オイル回収板４ａ，４ｂを流れ落ちたオイルＯを回収するオイル回収口５を設ける。
【００２５】
次に、本実施形態に係るオイルミスト回収装置１の使用方法及び機能（動作）について、図１〜図５を参照して説明する。
【００２６】
まず、オイルミスト回収装置１を設置するに際しては、図５に示すように、吊金具３１を用意し、この吊金具３１の下端を、オイルミスト回収装置１の吊下部１１に固定するとともに、吊金具３１の上端を、旋盤等の工作機械である機械類Ｍ…を設置した工場等における室内Ｒの天井Ｗに固定する。この場合、室内Ｒにおける空気循環等を考慮して吊下位置を選定する。なお、オイルミスト回収装置１…は、通常、室内Ｒの広さや環境に応じて複数台設置することが望ましい。このように、本実施形態に係るオイルミスト回収装置１は、吊金具３１等を利用して室内Ｒの天井Ｗに吊下げることができる。したがって、送風機２により室内Ｒの空気Ａを効果的に撹拌することができ、オイルミストを効率的かつバランス良く回収できるとともに、冷暖房効率も高めることができる。
【００２７】
また、第一リターンチューブ１２と第二リターンチューブ１５を用意し、第一リターンチューブ１２の一端をオイル回収口５に接続するとともに、第二リターンチューブ１５の一端をオイル排出口２６に接続する。そして、図５に示すように、第一リターンチューブ１２の他端と第二リターンチューブ１５の他端は合流チューブ３２に接続し、この合流チューブ３２の他端は、回収したオイルＯを再利用する工作機械等の機械類Ｍにおける潤滑油供給源に接続する。したがって、リターンチューブとしては一つのＹ形チューブを用意すれば足りる。
【００２８】
次に、オイルミスト回収装置１の機能（動作）について説明する。今、機械類Ｍを運転中であり、オイルミスト回収装置１も作動、即ち、送風ファン２５がモーター２４により回転している場合を想定する。機械類Ｍの運転により、機械類Ｍに付設したオイルミストコレクタにより、各機械類Ｍ…単位で発生したオイルミストＯｍが回収される。しかし、各機械類Ｍ…に、このようなオイルミストコレクタを付設しても、発生したオイルミストＯｍを完全に回収することは困難であり、少なからず漏れたオイルミストＯｍが室内Ｒに飛散して浮遊する。
【００２９】
一方、オイルミスト回収装置１の作動により送風ファン２５が回転し、室内ＲのオイルミストＯｍを含む空気Ａは、カバー１３を通して吸気口２ｆから吸気され、排気口２ｒから排出される。この際、エアフィルタを兼ねるカバー１３によりオイルミストＯｍの一部が回収される。即ち、オイルミストＯｍの一部がカバー１３に付着し、付着したオイルＯはカバー１３を伝って下方に流れることにより、オイル回収トレイ１４により回収される。このように、送風機２には、吸気口２ｆに着脱するエアフィルタを兼ねるカバー１３を備えるため、送風機２により吸気される前に、オイルミストＯｍをある程度回収することができ、効率的かつ有効な回収を実現できる。そして、オイル回収トレイ１４上のオイルＯは、オイル排出口２６から排出され、第二リターンチューブ１５及び合流チューブ３２を通って機械類Ｍにおける潤滑油供給源に戻される。これにより、回収されたオイルＯは工作機械等の機械類Ｍにより再利用される。このように、回収されたオイルＯは、機械類Ｍに対していわば自動で戻すことができるため、再利用のための別途の作業が不要となり、再利用に伴う作業工数の増加及び作業性の低下は発生しない。
【００３０】
また、排気口２ｒから排出された残留するオイルミストＯｍを含む空気Ａは、排気フード６を通り、回収ダクト３に進入する。回収ダクト３内には、ジグザグな通風路Ｓを形成するオイル回収板４ａ，４ｂが配置されるため、通風路Ｓを通過する空気Ａ内のオイルミストＯｍがオイル回収板４ａ，４ｂの表面に付着して回収される。そして、オイル回収板４ａ，４ｂの表面に付着したオイルＯは、オイル回収板４ａ，４ｂを流れ落ちた後、オイル回収口５から回収される。この場合、オイル回収板４ａを流れ落ちたオイルＯは、その下のオイル回収板４ｂの面上に落下し、このオイル回収板４ｂを流れ落ちてオイル回収口５に至る。
【００３１】
そして、オイル回収口５から回収されたオイルＯは、第一リターンチューブ１２及び合流チューブ３２を通って工作機械等の機械類Ｍにおける潤滑油供給源に戻される。これにより、回収されたオイルＯは機械類Ｍにより再利用される。この場合も、回収されたオイルＯは、機械類Ｍに対していわば自動で戻すことができるため、再利用のための別途の作業が不要となり、再利用に伴う作業工数の増加及び作業性の低下は発生しない。他方、回収ダクト３内においてオイルミストＯｍの除去された空気Ａｍは、回収ダクト３の下端開口から外部に排出される。
【００３２】
実際のオイル回収率を測定したところ次の結果を得た。まず、カバー１３によるオイル回収率は約７０〔％〕である。したがって、残りの約３０〔％〕が回収ダクト３に進入することになるが、回収ダクト３では残りの約３０〔％〕のうちの約９〔割〕を回収できた。本実施形態の場合、二枚のオイル回収板４ａ，４ｂを設けているが、このオイル回収板４ａ…の枚数を増減することにより、オイル回収率に関するオイルミスト回収装置１の性能を設定することができる。
【００３３】
よって、このような本実施形態に係るオイルミスト回収装置１によれば、送風ファン２ｍの前後に吸気口２ｆ及び排気口２ｒを有する送風機２を備えるとともに、内部にジグザグな通風路Ｓを形成する複数の傾斜したオイル回収板４ａ…を有し、かつ最下部に位置するオイル回収板４ｂの下端部にオイル回収板４ａ…を流れ落ちたオイルＯを回収するオイル回収口５を有する回収ダクト３を、排気口２ｒに対して直接又は排気フード６を介して接続したため、装置全体の構成を単純化することができ、小型コンパクト化及びコストダウン、更にはメンテナンスの容易化を図ることができる。
【００３４】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。
【００３５】
例えば、回収ダクト３は、排気フード６を介して送風機２に接続した場合を示したが、送風機２に直接接続してもよい。したがって、この場合、回収ダクト３の一部に排気フード６が含む形状と見ることができる。また、オイル回収板４ａ，４ｂは二枚を例示したが、一枚又は三枚以上であってもよい。さらに、送風機２として換気扇ユニット２ｃを利用した場合を例示したが、専用の送風機２として構成しても勿論よい。
【００３６】
なお、オイルミストとは、潤滑油のみならず各種油類を含む概念である。したがって、本発明に係るオイルミスト回収装置１は、レストランの厨房や一般家庭の台所などで発生する食用油のオイルミストに対しても有効である。この場合、オイルミスト回収装置１は家屋等の壁面に取付け、回収ダクト３は屋外に臨ませる。これにより、屋外に排出されるオイルミストを無くし或いは排出量を大幅に低減でき、洗濯干し物等への油の付着や近隣への迷惑を防止できる。また、オイルフィルターの取付を不要にできるとともに、清掃（メンテナンス）も年１回程度で済ませることができる。
【図面の簡単な説明】
【００３７】
【図１】本発明の最良の実施形態に係るオイルミスト回収装置の断面側面図、
【図２】同オイルミスト回収装置の外観側面図、
【図３】同オイルミスト回収装置の外観正面図、
【図４】同オイルミスト回収装置の分解側面図、
【図５】同オイルミスト回収装置の使用方法及び機能の説明図、
【符号の説明】
【００３８】
１：オイルミスト回収装置，２：送風機，２ｍ：送風ファン，２ｆ：吸気口，２ｒ：排気口，２ｃ：換気扇ユニット，３：回収ダクト，４ａ：オイル回収板，４ｂ：オイル回収板，５：オイル回収口，６：排気フード，１１：吊下部，１２：第一リターンチューブ，１３：カバー，１４：オイル回収トレイ，１５：第二リターンチューブ，Ｍ：機械類，Ｒ：室内，Ａ：空気，Ｏｍ：オイルミスト，Ｏ：オイル，Ｓ：通風路，Ｗ：天井
【図１】
2008142673.tif 000003
【図２】
2008142673.tif 000004
【図３】
2008142673.tif 000005
【図４】
2008142673.tif 000006
【図５】
2008142673.tif 000007